(57)【要約】  【目的】  比較的簡単に無線ＬＡＮ接続のための情報等を設定する。  【構成】  無線ＬＡＮスペース１には無線ＩＣタグが埋め込められているポスター４が貼ってある。無線ＩＣタグにはインターネット接続情報およびサーバ情報が記憶されている。ディジタル・スチル・カメラ３をポスター４に近づけることにより，無線ＩＣタグに記憶されている接続情報が読み取られる。カメラ３にはサーバ10のサービスを利用するためのＩＤおよびパスワードが記憶されている。これらの無線ＩＣタグから読み取られた接続情報ならびにＩＤおよびパスワードを利用してカメラ３はアクセス・ポイント２を介してネット・プリント・サーバ10に接続でき，そのサービスを利用できる。  【選択図】  図１
2006338466.tif 000002
【特許請求の範囲】
【請求項１】
アクセス・ポイントを介してインターネットに接続してウェブ・ページにアクセス可能な無線ＬＡＮ端末において，
上記ウェブ・ページでの認証を受けるための個人情報を記憶する個人情報メモリ，
無線ＬＡＮスペースでの備品に設けられている無線ＩＣタグに記憶されているインターネット接続情報およびウェブ・ページ接続情報を読み取る無線ＩＣタグ・リーダ，
上記無線ＩＣタグ・リーダによって読み取られたインターネット接続情報を上記アクセス・ポイントに送信するインターネット接続情報送信手段，
上記インターネット接続情報送信手段によってインターネット接続情報が送信されたことにより上記アクセス・ポイントにおいて認証されたことに応じて，上記無線タグ・リーダによって読み取られたウェブ・ページ接続情報を用いてウェブ・ページにアクセスするアクセス手段，ならびに
上記アクセス手段によってアクセスしたウェブ・ページでの個人情報リクエストに応じて，上記個人情報メモリに記憶されている個人情報をウェブ・ページに送信する個人情報送信手段，
を備えた無線ＬＡＮ端末。
【請求項２】
上記無線ＩＣタグが，ポスター，ちらしまたは無線ＬＡＮスペースに置かれた机に設けられているものである，請求項１に記載の無線ＬＡＮ端末。
【請求項３】
アクセス・ポイントを介してインターネットに接続してウェブ・ページにアクセス可能な無線ＬＡＮ端末の制御方法において，
上記ウェブ・ページでの認証を受けるための個人情報を記憶しておき，
無線ＬＡＮスペースでの備品に設けられている無線ＩＣタグに記憶されているインターネット接続情報およびウェブ・ページ接続情報を読み取り，
無線ＩＣタグから読み取られたインターネット接続情報を上記アクセス・ポイントに送信し，
インターネット接続情報が送信されたことにより上記アクセス・ポイントにおいて認証されたことに応じて，無線ＩＣタグから読み取られたウェブ・ページ接続情報を用いてウェブ・ページにアクセスし，
アクセスしたウェブ・ページでの個人情報リクエストに応じて，記憶されている個人情報をウェブ・ページに送信する，
無線ＬＡＮ端末の制御方法。
【発明の詳細な説明】
【技術分野】
【０００１】
この発明は，無線ＬＡＮ端末およびその制御方法に関する。
【背景技術】
【０００２】
無線ＬＡＮ（ローカル・エリア・ネットワーク）端末が普及してきたことにより，外出先でも無線ＬＡＮを用いてインターネットに接続できる無線ＬＡＮスペースが増加している。このような無線ＬＡＮスペースは，喫茶店，ホテルのロビー，飛行場，デパートなど実にさまざまな場所にある。無線ＬＡＮスペースで無線ＬＡＮを用いてインターネットに接続して，所望のウェブ・ページのサービスを利用する場合には，インターネットへの接続の設定，ウェブ・ページへのアクセスのためのＵＲＬ（Uniform Resource Locator），ＩＰ（インターネット・プロトコル）アドレスのウェブ・ページ接続情報の入力，ウェブ・ページでのサービスの認証のためのＩＤ，パスワードの個人情報の入力などの様々な設定が必要である。
【０００３】
これらの設定を比較的簡単に行うようにするために無線ＬＡＮ端末装置に着脱自在なメモリ・カードにインターネット接続情報およびウェブ・ページ接続情報を記憶しておき，そのメモリ・カードを無線ＬＡＮ端末装置に装填することにより，インターネット接続情報およびウェブ・ページ接続情報を無線ＬＡＮ端末装置に設定するものがある（特許文献１，２）。
【特許文献１】特開2004-120461号公報
【特許文献２】特開2004-301147号公報
【０００４】
しかしながら，そのメモリ・カードに記憶されている情報によって規定されるウェブ・ページ等にしかアクセスすることができない。とくに，無線ＬＡＮスペースなどにおいてお客にメモリ・カードを貸し出す場合には多数のお客用に多数のメモリ・カードを用意しておかなければならず，現実的ではない。
【０００５】
また，無線ＬＡＮスペースに設定情報配布サーバを配置して，この設定情報配布サーバからインターネット接続情報などを配布するものもある（特許文献３）。
【特許文献３】特開2005-65018号公報
【０００６】
しかしながら，ウェブ・ページでのサービスの認証のための個人情報を依然として入力する必要がある。
【発明の開示】
【０００７】
この発明は，比較的簡単にウェブ・ページのサービスを利用できるようにすることを目的とする。
【０００８】
この発明は，アクセス・ポイントを介してインターネットに接続してウェブ・ページ（ウェブ・サーバ）にアクセス可能な無線ＬＡＮ端末において，上記ウェブ・ページでの認証を受けるための個人情報を記憶する個人情報メモリ，無線ＬＡＮスペースでの備品に設けられている無線ＩＣタグに記憶されているインターネット接続情報およびウェブ・ページ接続情報を読み取る無線ＩＣタグ・リーダ，上記無線ＩＣタグ・リーダによって読み取られたインターネット接続情報を上記アクセス・ポイントに送信するインターネット接続情報送信手段，上記インターネット接続情報送信手段によってインターネット接続情報が送信されたことにより上記アクセス・ポイントにおいて認証されたことに応じて，上記無線タグ・リーダによって読み取られたウェブ・ページ接続情報を用いてウェブ・ページにアクセスするアクセス手段，ならびに上記アクセス手段によってアクセスしたウェブ・ページでの個人情報リクエストに応じて，上記個人情報メモリに記憶されている個人情報をウェブ・ページに送信する個人情報送信手段を備えていることを特徴とする。
【０００９】
この発明は，上記無線ＬＡＮ端末に適した制御方法も提供している。すなわち，この方法は，アクセス・ポイントを介してインターネットに接続してウェブ・ページにアクセス可能な無線ＬＡＮ端末の制御方法において，上記ウェブ・ページでの認証を受けるための個人情報を記憶しておき，無線ＬＡＮスペースでの備品に設けられている無線ＩＣタグに記憶されているインターネット接続情報およびウェブ・ページ接続情報を読み取り，無線ＩＣタグから読み取られたインターネット接続情報を上記アクセス・ポイントに送信し，インターネット接続情報が送信されたことにより上記アクセス・ポイントにおいて認証されたことに応じて，無線ＩＣタグから読み取られたウェブ・ページ接続情報を用いてウェブ・ページにアクセスし，アクセスしたウェブ・ページでの個人情報リクエストに応じて，記憶されている個人情報をウェブ・ページに送信するものである。
【００１０】
この発明によると，ウェブ・ページでの認証を受けるための個人情報は無線ＬＡＮ端末に記憶されている。また，無線ＬＡＮスペースでの備品（ポスター，ちらし，机など）にはインターネット接続情報およびウェブ・ページ接続情報が記憶されている無線ＩＣタグが設けられている。無線ＬＡＮ端末によって，無線ＩＣタグに記憶されているインターネット接続情報およびウェブ・ページ接続情報が読み取られる。読み取られたインターネット接続情報がアクセス・ポイントに送信される。アクセス・ポイントにおいて認証されると，無線ＩＣタグから読み取られたウェブ・ページ情報を用いてウェブ・ページにアクセスされる。アクセスしたウェブ・ページでのサービスを利用するためにウェブ・ページからの個人情報リクエストがあると，記憶されている個人情報が，そのウェブ・ページに送信される。
【００１１】
無線タグを読み取ることにより，所望のウェブ・ページにアクセスでき，そのウェブ・ページでのサービスを利用できるようになる。無線ＩＣタグは小さく，かつ比較的安価であるから，無線ＬＡＮスペースにある多くの備品に備えることができる。多くのお客に対応できる。また，無線ＩＣタグに記憶される接続情報の書き換えも比較的容易である。
【実施例】
【００１２】
図１は，この発明の実施例を示すものでネットワーク・システムの概要を示している。
【００１３】
喫茶店，ホテルのロビーなどに無線ＬＡＮスペース１があり，その無線ＬＡＮスペース１にアクセス・ポイント２が置かれている。このアクセス・ポイント２は，インターネットと接続可能であり，インターネットを介してネット・プリント・サーバ10と接続できる（他のサーバとも接続できるのはいうまでもない）。
【００１４】
この実施例においては，ディジタル・スチル・カメラ３は，インターネット接続情報｛アクセス・ポイント２を介してディジタル・スチル・カメラ３がインターネットに接続するために必要な情報であり，ESS-ID（Extended Service Set-Identifier），WEP-KEY（Wired Equivalent Privacy）などである。｝が設定されることにより無線ＬＡＮを用いてアクセス・ポイント２と接続できる。また，ディジタル・スチル・カメラ３にサーバ接続情報｛ネット・プリント・サーバ10（ネット・プリント・サービスのウェブ・ページ）にアクセスするためのＵＲＬ，ＩＰアドレスなどの情報である。｝が設定されることにより，ディジタル・スチル・カメラ３は，ネット・プリント・サーバ10に接続できる。
【００１５】
この実施例においては，無線ＬＡＮスペース１内に貼ってあるポスター４に，インターネット接続情報およびサーバ接続情報が記憶されている無線ＩＣタグが埋め込められている。ポスター４にディジタル・スチル・カメラ３を近づけることにより，ポスター４に埋め込められている無線ＩＣタグからインターネット接続情報およびサーバ接続情報が読み取られ，読み取られたこれらの接続情報がディジタル・スチル・カメラ３に設定される。
無線ＬＡＮスペース１には様々な種類のポスターがあり，それぞれのポスターには異なるインターネット接続情報およびサーバ接続情報が記憶されている無線ＩＣタグが埋め込められている。所望のサービスを受けようとするポスターにディジタル・スチル・カメラ３を近づけることにより，所望のサービスを受けるためのサーバ接続情報等がディジタル・スチル・カメラ３に設定される。
【００１６】
また，ディジタル・スチル・カメラ３には，ネット・プリント・サーバ10においてサービスを受けるための認証に利用されるＩＤおよびパスワードが設定されている。
【００１７】
図２は，無線ＬＡＮスペース１に貼られているポスター４の一例である。
【００１８】
ポスター４には，サービスの内容が記載されている。たとえば，画像データを送信することにより，送信された画像データによって表される画像をプリントするサービスであり，その料金，プリントの受け取り先，その受け取り先の電話番号などがポスター４に記載されている。
【００１９】
ポスター４の左側には，その内部に上述した無線ＩＣタグ５が埋め込められている。この無線ＩＣタグ５が埋め込められている近くにディジタル・スチル・カメラ３を近づけることにより，ディジタル・スチル・カメラ３によって無線ＩＣタグ５に記憶されているインターネット接続情報およびサーバ接続情報がディジタル・スチル・カメラ３によって読み取られる。
【００２０】
図３は，ディジタル・スチル・カメラ３の電気的構成を示すブロック図である。
【００２１】
ディジタル・スチル・カメラ３の全体の動作は，ＣＰＵ20によって統括される。ＣＰＵ20には，データ等を一時的に記憶するメモリ22が接続されている。
【００２２】
ディジタル・スチル・カメラ３には，シャッタ・レリーズ・ボタン，モード設定ダイアルなどの様々な操作キー23が含まれており，この操作キー23から出力される操作信号はＣＰＵ20に入力する。
【００２３】
ディジタル・スチル・カメラ３には，カメラ機能を備えたカメラ・ユニット21が含まれている。このカメラ・ユニット21によって被写体が撮像され，被写体像を表す画像データは，表示制御回路24によって制御される表示装置25に与えられることにより，表示される。また，撮像によって得られた画像データは，メモリ・カード30に与えられて記録される。
【００２４】
上述したように，この実施例によるディジタル・スチル・カメラ３は無線ＩＣタグ５に記憶されているインターネット接続情報およびサーバ接続情報を読み取ることができる。このために，ディジタル・スチル・カメラ３には無線ＩＣタグ・リーダ27およびこの無線ＩＣタグ・リーダ27を制御するための無線ＩＣタグ・アクセス制御回路26が設けられている。無線ＩＣタグ・リーダ27によって読み取られたインターネット接続情報およびサーバ接続情報は，メモリ22に与えられ，記憶される。
【００２５】
また，メモリ・カード30には，上述したように，ネット・プリント・サーバ10においてネット・プリント・サービスを受けるためのＩＤおよびパスワードが記憶されている。メモリ・カード30がディジタル・スチル・カメラ３のメモリ・カード・スロット29に装填されると，メモリ・カード30に記憶されているＩＤおよびパスワードがメモリ・カード制御回路28によって読み取られる。読み取られたＩＤおよびパスワードはメモリ22に記憶される。
【００２６】
さらに，ディジタル・スチル・カメラ３には，上述したように，アクセス・ポイント２と無線通信するための無線通信制御回路31も含まれている。
【００２７】
図４は，ネット・プリント・サービスを受けるための処理手順を示している。
【００２８】
上述したように，ネット・プリント・サービスが記載されているポスター４の近くにディジタル・スチル・カメラ３が近づけられる。すると，ポスター４に埋め込められている無線ＩＣタグ５に記憶されているインターネット接続情報およびサーバ接続情報が送信される。送信されたインターネット接続情報およびサーバ接続情報がディジタル・スチル・カメラ３において受信され，記憶される。
【００２９】
ディジタル・スチル・カメラ３からアクセス・ポイント２にインターネット接続情報が送信される。アクセス・ポイント２においてインターネット接続情報が受信されると，その受信したインターネット接続情報を用いて認証処理が行われる。認証がされると，ＯＫデータがアクセス・ポイント２からディジタル・スチル・カメラ３に送信される。
【００３０】
ディジタル・スチル・カメラ３において，アクセス・ポイント２から送信されたＯＫデータが受信されると，ポスター４の無線ＩＣタグ５から読み取られたサーバ接続情報がアクセス・ポイント２を介してネット・プリント・サーバ10に送信される。ディジタル・スチル・カメラ３とネット・プリント・サーバ10とがアクセス・ポイント２を介して接続される。すると，ネット・プリント・サーバ10からディジタル・スチル・カメラ３にサービスを受けるための認証に必要なＩＤおよびパスワードの要求をするデータが送信される。
【００３１】
ネット・プリント・サーバ10から送信された要求データがディジタル・スチル・カメラ３において受信されると，メモリ・カード30から読み取られ，メモリ22に記憶されているＩＤおよびパスワードがメモリ22から読み取られる。読み取られたＩＤおよびパスワードがディジタル・スチル・カメラ３からネット・プリント・サーバ10にアクセス・ポイント２を介して送信される。
【００３２】
ディジタル・スチル・カメラ３から送信されたＩＤおよびパスワードがネット・プリント・サーバ10おいて受信されると，その受信したＩＤおよびパスワードを用いて認証処理が行われる。認証されると，ネット・プリント・サーバ10からディジタル・スチル・カメラ３にＯＫデータが送信される。
【００３３】
ディジタル・スチル・カメラ３のユーザは，ネット・プリント・サーバ10のサービスを受けられることが確認されたので，ディジタル・スチル・カメラ３からネット・プリント・サーバ10に画像データが送信される。
【００３４】
ディジタル・スチル・カメラ３から送信された画像データがネット・プリント・サーバ10において受信されると，ネット・プリント・サーバ10からディジタル・スチル・カメラ３に住所およびクレジット番号を要求するデータが送信される。
【００３５】
ネット・プリント・サーバ10から送信された要求データがディジタル・スチル・カメラ３において受信されると，住所およびクレジット番号を表すデータがディジタル・スチル・カメラ３からネット・プリント・サーバ10に送信される。住所およびクレジット番号は，ディジタル・スチル・カメラ３の操作キー23を用いて入力されるのはいうまでもない。
【００３６】
上述した実施例においては，無線ＩＣタグはポスター４に埋め込められていたが，ポスターに限らず，ちらしに埋め込められていてもよいし，机などに貼られていてもよい。また，アクセス・ポイント２と無線接続できる無線ＬＡＮ端末であればディジタル・スチル・カメラに限らず，ＰＤＡ，ストレージ・ディバイスなどでもよい。さらに，ＩＤ，パスワードはディジタル・スチル・カメラ３に着脱自在なメモリ・カード30に記憶されていなくとも内蔵メモリ22に記憶されているようにしてもよい。さらに，サービスは，ネット・プリント・サービスに限らず，その他のサービスでもよい。
【図面の簡単な説明】
【００３７】
【図１】ネットワーク・システムの概要を示している。
【図２】ポスターの一例である。
【図３】ディジタル・スチル・カメラの電気的構成を示すブロック図である。
【図４】ネット・プリント・サービスを受けるための処理手順を示している。
【符号の説明】
【００３８】
１  無線ＬＡＮスペース
２  アクセス・ポイント
３  ディジタル・スチル・カメラ
４  ポスター
５  無線ＩＣタグ
10  ネット・プリント・サーバ
20  ＣＰＵ
26  無線ＩＣタグ
27  無線ＩＣタグ・リーダ
31  無線通信制御回路
【図１】
2006338466.tif 000003
【図２】
2006338466.tif 000004
【図３】
2006338466.tif 000005
【図４】
2006338466.tif 000006